(57)【特許請求の範囲】
【請求項１】
中心位置に立てる中心柱と、その外周を取り巻く配置に立てる複数の周辺柱と、前記複数の周辺柱の相隣接する２本の間を周方向に連結する周辺枠と、前記中心柱と各周辺柱とを放射状に連結する上下の放射枠と、前記周辺柱の隣り合う２本と前記周辺枠とが形成する外周枠面を遮蔽する外周面材と、前記中心柱と周辺柱及び放射枠とが形成する枠面を遮蔽する縦仕切り材と、屋根材とで構成され、  
前記中心柱は前記複数の放射枠の中心側端部を連結可能な連結板を備え、また、前記の周辺柱には前記周辺枠の端部又は放射枠の外周側端部若しくはその両方を連結可能な連結板を備えており、
更に前記縦仕切り材は鉛直方向の上下に相対峙する上下の放射枠の間へ建て込む構成であり、
前記外周面材は前記周辺柱へ取付け可能な連結具を備え、前記外周面材の少なくとも一側の縦縁部の連結具を周辺柱から外してペット類を出入りさせる開口を形成する構成であることを特徴とする、組み立て、分解が自在なペット類用ケージ。
【請求項２】
上下の放射枠の中心側端部を中心柱と連結させる上下の連結板は、それぞれ中心柱を通すソケットを中心とする円周を放射枠の本数分で等分した位置毎に垂直上向きの軸を備え、放射枠の中心側端部は連結板上へ載せる方向に前記軸へ嵌め込み連結されることを特徴とする、請求項１に記載した組み立て、分解が自在なペット類用ケージ。
【請求項３】
各周辺柱の上下の連結板は周辺柱を通すソケットを有し、少なくとも内周側の中央位置には放射枠の外周側端部を連結する垂直上向きの軸を備え、放射枠の外周側端部は連結板上へ載せる方向に前記軸へ嵌め込み連結されることを特徴とする、請求項１に記載した組み立て、分解が自在なペット類用ケージ。
【請求項４】
中心柱は、ペット類の保育室を中間高さの位置で上下に仕切る水平な中仕切り板の中心側端部を連結して支持させる中間連結板を備え、該中間連結板は中心柱を通すソケットを中心とする円周を中仕切り板の枚数分で等分した位置毎に垂直上向きの軸を有しており、
各周辺柱も、その中間高さの位置に、前記水平な中仕切り板の外周側端部を連結して支持させる中間連結板を備え、この中間連結板は内周側の両側位置に、隣接する２枚の中仕切り板の外周側の端部を連結する垂直上向きの軸を２本有しており、  
前記中心柱の中間連結板と前記周辺柱の中間連結板とへ前記中仕切り板の中心側端部と外周側端部をそれぞれ連結板上へ載せる方向に前記軸へ嵌め込み連結して、保育室は少なくとも２階建てに組み立てられることを特徴とする、請求項１〜３のいずれか一に記載した組み立て、分解が自在なペット類用ケージ。
【請求項５】
中心柱と周辺柱とを放射状に連結する上下の放射枠は、上位の放射枠はその下面の軸方向に下向きにコ字形溝断面の溝縁を備え、下位の放射枠はその上面の軸方向に上向きにコ字形溝断面の溝縁を備えており、
縦仕切り材はその上下の端縁部を前記上下の溝縁内へ嵌め込んで設置され、中仕切り板はその放射状の両側縁部に前記縦仕切り材の中間部を拘束する支持枠を備えていることを特徴とする、請求項４に記載した組み立て、分解が自在なペット類用ケージ。
【発明の詳細な説明】
【技術分野】
【０００１】
この発明は、主には地震や河川の氾濫その他の災害時に、避難してきた大量の犬や猫その他のペット類を緊急に収容して保育することに適する、組み立て、分解が自在なペット類用ケージの技術分野に属する。
【背景技術】
【０００２】
地震や河川の氾濫のような災害時には、人間と共に犬や猫などのペット類も一緒に学校や公民館などへ避難させる。しかし、避難場所では、人間と犬や猫などのペット類との生活圏は分離する必要がある。そのため緊急時に犬や猫などペット類専用の避難施設や設備の必要性が切実である。特に避難生活が長くなるほどに、そうした要請が強くなる。しかし、従来、大量の犬や猫などのペット類を、緊急避難の場所で、一箇所に集めて収容し保育するのに適切な施設や設備は見当たらない。とりわけ緊急の用に役立つように、運搬と組み立て、及び分解撤去並びに保管に至便の施設や設備が無いことが不便であり、解決課題になっている。
【０００３】
従来技術として、例えば下記の特許文献１に記載された「組立式動物保育ケージ装置」が公知である。この保育ケージ装置は、分解された状態の各構成部材をフレームへ着脱することにより組み立てる構成であり、２個以上の立方体空間部を画成する構成と認められる。しかし、縦型（垂直型）の構成であれ、横型（水平型）の構成であっても、出入り口が一方側に集中した構成であるため、その出入り口は必ず開放側に向けて設置しなければならない。よって、必然的に壁際等へ寄せ付けて設置することになり、設置場所の選定に制約を受けるし、設置場所の利用効率が悪い。特に地震や出水などの大災害が発生した場合の避難場所は限定されており、狭い場所に大勢が集中するから、ペット類のケージ装置を設置する場所も狭く限定される。
その上、大量のペット類を集中的に収容する場合でも、１匹ずつ区分して個別に収容することが望まれるが、こうした要請に照らすと、特許文献１に記載された組立式動物保育ケージ装置のペット収容能力は余りにも小さく、実用的といえない。また、立方体ないし直方体形状に構成されたケージは、負荷の方向によっては構造的強度が意外に低く、災害時の安全性確保に備えるためには補強し強度を高めた上で使用する必要が認められる。
更に、この組立式動物保育ケージ装置は、構成部品の種類が多すぎて、組み立ての手順が難しく、手数がかかるので、緊急時の用には適さない、という問題点も認められる。
【０００４】
次に、下記の特許文献２に開示された「簡易畜舎の構造」は、中央の支柱を取り囲む配置で外周部に複数の枠柱を立て、各枠柱は斜めの屋根枠で中央の支柱と放射方向に連結する。枠柱同士は周方向の横枠で連結して一見テント型の構造に組み立て、その屋根及び側壁にポリシートを取り付ける構成と認められる。これは一見合理的構造と思われるが、畜舎内に仕切りが無いから、牛や馬、豚などの家畜の飼育ならばともかく、犬や猫などのペット類は混在させて収容することに適さないので、飼い主はとても安心して預けられない構成である。
また、このテント型の畜舎構造は、適切な工具類が揃っていないと、とても組み立て作業を進め難く、地震や河川の氾濫のような災害時の緊急用として役立つ構成とは認め難い。しかも、このテント型の畜舎構造は、強風や大雨のような悪天候に対して安心して使用できる安定性、安全性を認め難く、小さな犬や猫などのペット類が安心して落ち着ける保育場所を提供する構成とは言い難い。
次に、下記の特許文献３に開示されたペット用篭は、特定のペットを１匹収納し保育する構成と認められる。地震や河川の氾濫のような災害時に集合してきた多数の犬や猫などのペット類を収納して保育する用にはとても役立たない構成である。
【先行技術文献】
【特許文献】
【０００５】
【特許文献１】実公昭６３−４３８９８号公報
【特許文献２】実公昭６４−２６２５号公報
【特許文献２】実用新案登録第３０１１２５１号公報
【発明の概要】
【発明が解決しようとする課題】
【０００６】
上記したとおり、犬や猫などのペット類を収納して保育できる組立式の動物保育ケージ装置は、一応種々公知ではあるが、地震や河川の氾濫のような災害時に、緊急の用に役立つ施設や設備とは認め難い。とりわけ大量の収容能力が有って、しかもペット類を個別に収納して保育することができ、そして、緊急避難時に速やかに使用できるだけの簡便性と利便性、即ち、運搬と組み立てが容易で、工具類が格別揃っていなくとも容易に軽便に組み立て作業ができて、短時間に使用可能に組み立てられ、用済み後には解体・撤去して運搬、保管することに適する、組み立て、分解が自在な構成のペット類保育ケージ装置は見当たらない。
【０００７】
本発明の目的は、犬や猫などのペット類を多数収容する大きな容量があり、しかも各ペットは個別に収容して保育できる構成であり、狭く限定された場所でも比較的小さな占有スペースで設備でき、勿論、暴風や大雨の悪天候にも耐える強度と安定性、安全性を備えた構成であり、格別に工具類が揃っていなくとも、誰でも容易に軽便に組み立てて使用することができ、緊急時の用に役立つことは勿論のこと、用済み後には簡単に分解して撤去でき、運搬と保管が容易な構成とした、組み立て、分解が自在なペット類用ケージを提供することである。
【課題を解決するための手段】
【０００８】
上記した従来技術の課題を解決するための手段として、請求項１に記載した発明に係る組み立て、分解が自在なペット類用ケージは、
中心位置に立てる中心柱１と、その外周を取り巻く配置に立てる複数の周辺柱２と、前記周辺柱２、２が相隣接する２本の間を周方向に連結する周辺枠３と、前記中心柱１と各周辺柱２とを放射状に連結する上下の放射枠４、４’と、前記周辺柱２の隣り合う２本と前記周辺枠３とが形成する外周枠面を遮蔽する外周面材５と、前記中心柱１と周辺柱２及び放射枠４、４’とが形成する枠面を遮蔽する縦仕切り材６と、及び屋根材７とで構成され、  
前記中心柱１は前記放射枠４及び４’の中心側端部を連結可能な連結板８、９を備え、また、前記周辺柱２は前記周辺枠３の端部又は放射枠４の外周側端部若しくはその両方を連結可能な連結板１０を備えており、
更に前記縦仕切り材６は鉛直方向の上下に相対峙する上下の放射枠４、４’の間へ建て込む構成であり、
前記外周面材５は前記周辺柱２、２へ取付け可能な連結具５ａを備え、前記外周面材５の少なくとも一側の縦縁部の連結具５ａを周辺柱２から外してペット類を出入りさせる開口を形成する構成であることを特徴とする。
【０００９】
請求項２に記載した発明は、上記請求項１に記載した組み立て、分解が自在なペット類用ケージにおいて、
上下の放射枠４又は４’の中心側端部を中心柱１と連結させる上下の連結板８、９は、それぞれ中心柱１を通すソケット８ａ又は９ａを中心とする円周を放射枠４又は４’の本数分で等分した位置毎に垂直上向きの軸８ｂ、９ｂを備え、放射枠４又は４’の中心側端部は連結板８、９上へ載せる方向に前記軸８ｂ、９ｂへ嵌め込み連結されることを特徴とする。
請求項３に記載した発明は、上記請求項１に記載した組み立て、分解が自在なペット類用ケージにおいて、
各周辺柱２の上下の連結板１０、１１は周辺柱２を通すソケット１０ａを有し、少なくとも内周側の中央位置には放射枠４又は４’の外周側端部を連結する垂直上向きの軸１０ｃ又は１１ｂを備え、放射枠の外周側端部は連結板１０、１１上へ載せる方向に前記軸１０ｃ又は１１ｂへ嵌め込み連結されることを特徴とする。
【００１０】
請求項４に記載した発明は、上記請求項１〜３のいずれか一に記載した組み立て、分解が自在なペット類用ケージにおいて、
中心柱１は、ペット類の保育室を中間高さの位置で上下に仕切る水平な中仕切り板１３の中心側端部を連結して支持させる中間連結板１４を備え、該中間連結板１４は中心柱１を通すソケット１４ａを中心とする円周を中仕切り板１３の枚数分で等分した位置毎に垂直上向きの軸１４ｂを有しており、
各周辺柱２も、その中間高さの位置に、前記水平な中仕切り板１３の外周側端部を連結して支持させる中間連結板１２を備え、この中間連結板１２は内周側の両側位置に、隣接する２枚の中仕切り板１３の外周側の端部を連結する垂直上向きの軸１２ｂを２本有しており、  
前記中心柱１の中間連結板１４と前記周辺柱２の中間連結板１２とへ前記中仕切り板１３の中心側端部と外周側端部をそれぞれ連結板１４、１２上へ載せる方向に前記軸１４ｂ、１２ｂへ嵌め込み連結され、保育室は少なくとも２階建てに組み立てられることを特徴とする。
【００１１】
請求項５に記載した発明は、上記請求項４に記載した組み立て、分解が自在なペット類用ケージにおいて、
中心柱１と周辺柱２とを放射状に連結する上下の放射枠４、４’は、上位の放射枠４はその下面の軸方向に下向きにコ字形溝断面の溝縁１５を備え、下位の放射枠４’はその上面の軸方向に上向きにコ字形溝断面の溝縁１６を備えており、
縦仕切り材６は上下の端縁部を前記上下の溝縁１５、１６内へ嵌め込んで設置され、中仕切り板１３はその放射状の両側縁部に前記縦仕切り材６の中間部を拘束する支持枠１３ａを備えていることを特徴とする。
【発明の効果】
【００１２】
本発明による組み立て、分解が自在なペット類用ケージは、緊急避難した地域に確保した設置場所の地面上に先ず中心柱１を垂直に立て、その外周を取り巻く配置に一定数の周辺柱２を一定の間隔を開けて垂直に立て、前記周辺柱２、２が相隣接する２本の間を周辺枠３で周方向に連結してゆき、更に前記の各周辺柱２と中心柱１の上下間を上下の放射枠４、４’で放射状に連結して主要な骨格を安定に組み立てることができる。
その上で、前記周辺柱２の隣り合う２本と前記周辺枠３とが形成する外周枠面を、該当する２本づつの周辺柱２、２へ外周面材５をその連結具５ａで取り付けて遮蔽する。この場合、１本の周辺柱２に対して、隣接する２枚の外周面材５、５の連結具５ａを取り付けることになるから、各外周面材５、５の連結具５ａは周辺柱２の上下に若干ずれた配置となるように互い違いの位置に設けておく。
次に、前記周辺柱２と中心柱１とを放射状に連結した上下の放射枠４、４’の間へ縦仕切り材６を建て込んで複数の保育室を区画形成する。最後に屋根面を屋根材７で覆うことで、短時間の簡単な組み立て作業で、ペット類用ケージを完成して使用することができるから、緊急事態の用に十分役立つ。
しかも、中心柱１と上下の放射枠４、４’との連結は、中心柱１が具備する上・下位置の連結板８、９と、及び各周辺柱２が具備する上・下位置の連結板１０と１１とを利用して行える。その際、放射枠４、４’の中心側端部及び外周側端部をそれぞれ該当する各連結板８、９の上に載せて、各端部の軸孔を、上位の放射枠４の中心側端部は中心柱１の上位の連結板８が有する垂直上向きの軸（ネジ軸８ｂ）へ、また、同上位の放射枠４の外周側端部は外周柱２の上位の連結板１０が有する垂直上向きの軸（ネジ軸１０ｃ）へ嵌めて、上方へ突き出たネジ部へそれぞれナット２０をネジ込み締結して強固に連結し骨格の強度、剛性を確保する。
下位の放射枠４’の中心側端部及び外周側端部は、中心柱１が具備する下位の連結板９及び外周柱２の下位の連結板１１が有する垂直上向きの軸（止め軸９ｂ、１１ｂ）へ、単に軸孔を嵌めて止めるだけの簡易、迅速な連結で目的が達せられ手間を省ける。
また、隣り合う外周柱２、２と周辺枠３との連結も、外周柱２の上位の連結板１０が周方向の両側に有する垂直上向きの軸（止め軸１０ｂ、１０ｂ）へ単に軸孔を嵌め込んで止める簡易な方法で連結する。
上記のように、ケージ骨格の組み立ては、上位の放射枠４と、中心柱１及び外周柱２の上位の連結板８及び１０とはネジ軸８ｂ、１０ｃとナット２０とで強固に締結するが、これ以外は単に軸孔を止め軸へ嵌めて止める作業で連結するから、さして工具は必要でなく、迅速な連結作業を進められる。予めナット２０の個数さえ揃っておれば、誰でも迅速に簡単に組み立てを進めることができ、緊急避難時用の設備として大いに役立つ。
なお、ナット２０自体も、手で締め込む操作に適した大きさと形状を選択・採用することにより格別工具類は必要でなく、手による操作で簡単に締め込める。
【００１３】
しかも本発明による組み立て、分解が自在なペット類用ケージは、図１に見るとおり、放射状配置に保育室が隣接して集合した、平面視が円形の構成であり、その外周面材５を開くことで各保育室からペット類を出し入れできる構成なので、使い勝手が良く、敷地の利用効率が高い。そして、大量のペット類を一匹ずつ個別に収容して保育できるから、飼い主も安心してペットを預けられる。また、放射枠４、４’を長短に調節すること、及び周辺柱２の本数と周辺枠３の本数を増減することで、保育室の大きさや、個数を自在に調整することができる融通性がある。  
更に、請求項４記載の発明のように、水平な中仕切り板１３を使用することにより、保育室を少なくとも上下の２階建て又は３階建てのよう構成して、収容できるペット数を倍増ないし倍々増でき、集合したペット数の多少に対応できる自在性がある。
一方、用済みとなった場合には、上記とは逆の手順で簡単に解体し撤去することができるし、解体した個々の構成部材（中心柱１、周辺柱２、周辺枠３、放射枠４、４’など）は軽量、小型で持ち運びや運搬に適するし、倉庫等へ纏めて保管しておくことにも適し、何時でも緊急時に使用できる対応性を有する。
もっとも、本発明のペット類用ケージは、災害時の緊急避難の際の用途に限らず、大勢の人々がペット類を伴って集まる祭礼時や市民運動会、イベント会場などでも同様に軽便に多用途に利用することができる。
【図面の簡単な説明】
【００１４】
【図１】本発明によるペット類用ケージの組み立てを完成した状態を示す斜視図である。
【図２】Ａは、同上のケージを構成する主要部材である中心柱、周辺柱、周辺枠、放射枠及び外周面材の組み立て状況を部分的に示した斜視図、Ｂは外周面材の斜視図である。
【図３】Ａは図２のIII部を拡大して示した斜視図、Ｂは同周辺柱の上位の連結板と放射枠とが関係する構成を示した斜視図である。
【図４】Ａは図２のIV部を拡大して示した斜視図、Ｂは同周辺柱の中間部連結板と中仕切り板とが関係する構成を示した斜視図である。
【図５】Ａは図２のV部を拡大して示した斜視図、Ｂは同周辺柱の下位の連結板を示した斜視図である。
【図６】図２のVI−VI線に沿って切断し縦仕切り材の取付け構造を示した断面図である。
【発明を実施するための形態】
【００１５】
本発明による組み立て、分解が自在なペット類用ケージは、中心位置に立てる中心柱１と、その外周を取り巻く配置に立てる複数の周辺柱２と、前記周辺柱２、２が相隣接する２本の間を周方向に連結する周辺枠３と、前記中心柱１と周辺柱２とを放射方向に連結する上下の放射枠４、４’と、前記周辺柱２の隣り合う２本と前記周辺枠３とが形成する外周枠面を遮蔽する外周面材５と、前記中心柱１と周辺柱２及び放射枠４、４’とが形成する枠面を遮蔽する縦仕切り材６と、屋根材７とで構成する。  
前記中心柱１は、前記放射枠４及び４’の中心側端部を連結可能な連結板８、９を備える。また、前記周辺柱２は、前記周辺枠３の端部又は放射枠４の外周側端部若しくはその両方を連結可能な連結板１０を備えている。
更に、前記縦仕切り材６は、鉛直方向の上下に相対峙する上下の放射枠４、４’の間へ建て込む構成である。
前記外周面材５は、前記周辺柱２、２へ取付け可能な連結具５ａを備え、前記外周面材５の少なくとも一側の縦縁部の連結具５ａを周辺柱２から外して、ペット類を出入りさせる開口を形成する構成である。
【実施例１】
【００１６】
以下に、本発明による組み立て、分解が自在なペット類用ケージを図示した実施例により説明する。
図示した組み立て、分解が自在なペット類用ケージは、予め設置場所の地面へ定めた中心位置へ垂直に立てる中心柱１と、前記中心柱１の位置を中心として描いた円周に沿って一定の間隔（周辺柱２の本数分で等分した間隔）をあけて墨出して定めた位置の地面上に垂直に立てる複数本（図示例では１２本＝保育室の個数によって定められる。）の周辺柱２と、前記の各周辺柱２が周方向に相隣接する２本の間を連結する必要数の周辺枠３と、前記の各周辺柱２を個別に、それぞれ前記中心柱１との間の上下を放射状に連結する上下の放射枠４、４’と、前記周辺柱２が周方向に隣り合う２本と前記周辺枠３とが形成する外周枠面を遮蔽する外周面材５と、更に前記中心柱１と周辺柱２、及び該２本の柱１、２の上下を連結した放射枠４、４’とが形成する垂直な枠面を遮蔽する縦仕切り材６と、及び完成したケージの上面を例えば図１に２点鎖線で例示したように覆うのに適切な形状、大きさのプラスチックシート或いはゴムシート等で成る屋根材７とで構成されている。
因みに、図１に例示したペット類用ケージの大きさの一例を示すと、平面方向に見た外径が２５００ｍｍ程度、側面方向に見た地上高さが１５００ｍｍ程度である。従って、上記の各構成部材は、前記寸法を前提とした寸法と形状に製作されている。
【００１７】
上記中心柱１と周辺柱２及び周辺枠３、並びに上下の放射枠４、４’は、図示例の場合は、例えば外径が３２ｍｍないし４２ｍｍ程度の薄肉鋼管の外周面に合成樹脂を薄く層状に被覆して接着して成り、手触りが良くて軽く、しかも強度、剛性が十分に大きい樹脂被覆接着鋼管を所要の長さに切断し加工して製作されている。
図２に示したとおり、中心柱１の上下の位置には、上下の放射枠４及び４’の中心側端部を連結可能な金属製の連結板８、９を備えている。他方、上記の各周辺柱２の上位には上記周辺枠３及び上位の放射枠４それぞれの一端部を連結可能な金属製の連結板１０を備え、下位には下位の放射枠４’の外周側端部を連結可能な連結板１１を備えている。
【００１８】
中心柱１へ上下の放射枠４又は４’の中心側端部を連結する上下の連結板８、９は、図２に示したとおり、それぞれ中心柱１を通すソケット８ａ又は９ａを中心とする円周を中心として描いた円周を放射枠４、４’の本数分で等分した位置毎に、上位の連結板８は垂直上向きの軸としてネジ軸８ｂを備え、下位の連結板９の軸としてはネジを必要としない単なる止め軸９ｂを備えている。
各連結板８、９は、各々のソケット８ａ、９ａへ中心柱１を通し、それぞれの取り付け高さ位置を定め、ソケット８ａ、９ａへ例えばタッピングネジで止めるなどの手段により強く固定されている。
したがって、上位の放射枠４の中心側端部は、上位の連結板８の上へ載せる方向へ操作して、上方から該当するネジ軸８ｂへ同端部の軸孔を嵌め込んで載せる。そして、同端部の上面から突き出たネジ軸８ｂへ上方からナット２０をねじ込み締結して構造的に強固に連結される。一方、下位の放射枠４’の中心側端部は、やはり下位の連結板９の上へ載せる方向へ操作し、同端部の軸孔を止め軸９ｂへ嵌め込んで載せ止める単純な連結とし、作業手間を省く構成とされている。もっとも、当該ケージを常設して長期に使用する場合には、下位の放射枠４’の中心側端部もネジ軸へナットをねじ込む締結により構造的に強固に連結する構成を実施することが好ましい。
【００１９】
他方、各周辺柱２の上位の連結板１０は、図３Ｂに示したとおり、周辺柱２を通すソケット１０ａを中心として、各周辺柱２…が立ち並ぶ円周方向（図１を参照）の両側位置に、その周方向に隣り合う周辺柱２、２同士を連結する周辺枠３の一端部の軸孔を嵌め込み連結する軸として、垂直上向きの止め軸１０ｂ、１０ｂを備えている。もっとも図３では止め軸１０ｂを軽便に設ける手段としてボルトを使用した例を示すが、ネジは無用のものである。
更に内周側の中央位置には、上位の放射枠４の外周側端部を連結する軸として、垂直上向きのネジ軸１０ｃを備えている。この連結板１０も、そのソケット１０ａへ周辺柱２を通し、予め定められた取り付け高さの位置においてソケット１０ａをタッピングネジ２１（図３Ａ）で止める手段などにより固定されている。
既に説明したが、図３Ａ、Ｂでは、連結板１０の垂直上向きの止め軸１０ｂ、１０ｃは、連結板１０の該当位置の孔へ下から上向きにボルトを通し、上方から止めナット１０ｄをねじ込んで止めた構成を示しているが、この構成に限らない。これらの止め軸１０ｃ及び１０ｂは、連結板１０へ溶接したりカシメ等の手段で取り付けても良い。また、止め軸１０ｂにはネジを切らない軸棒を使用して良い。
上記した中心柱１の上下の連結板８、９で説明したネジ軸８ｂと止め軸９ｂをはじめ、以下に説明する他の連結板のネジ軸及び止め軸の構成も、特に断らないかぎり、上記と同じ構成で設けていると理解されたい。ただし、前記ネジ軸及び止め軸の構成と取り付け構造は図示例の限りではないことも了解されたい。  
【００２０】
次に、各周辺柱２の下位の連結板１１は、図５Ｂに示したとおり、周辺柱２を通すソケット１１ａを中心として、周方向の内側位置に、下位の放射枠４’の外周側端部の軸孔を嵌めて連結する軸として、垂直上向きの止め軸１１ｂを１本、やはりナット１１ｃをねじ込んで固定した構成で取り付けている。この連結板１１も、そのソケット１１ａへ周辺柱２を通して、取り付け位置を定めた上で、同ソケット１１ａをタッピングネジ２１（図５Ａ）で止めるなどの手段により固定して取り付けられている。
上記した各連結板の構成を前提として、中心柱１と周辺柱２の上位の放射枠４による連結は、同放射枠４の両端部をそれぞれ上位の連結板８と１０上へ載せる方向へ操作し、例えば図３Ｂに例示した端部の軸孔４ａをネジ軸８ｂへ嵌めて載せ、同端部の上面へ突き出たネジ軸８へナット２０をねじ込み締結する要領で、構造的に強固な連結が行なわれる。連結板１０のネジ軸１０ｃへも同様に図示省略の軸孔を嵌めて載せ、ナット２０をねじ込み締結することにより構造的に強固な連結が行なわれる。
一方、下位の連結板９と１１を利用する下位の放射枠４’の連結は、同放射枠４’の各端部をやはり連結板９と１１上へ載せる方向へ操作し、各端部の軸孔を止め軸９ｂと１１ｂへ嵌めて載せる単純な止め付け手法で連結される。
【００２１】
上記のようにしてケージの主要骨格が組み立てられた後の工程として、上記周辺柱２が周方向に隣り合う２本と、上記周辺枠３とが形成する各外周枠面へ、同外周枠面とほぼ同形・同大に、若しくは上下方向の高さ寸法を二分割乃至三分割した形態の外周面材５を取り付けて、外周枠面を順次に遮蔽する作業を進める。
外周面材５は、図２Ｂに示したとおり、その両側の縦縁に沿って、図示例の場合は周方向に隣り合う２本の周辺柱２、２へ外側から嵌め付ける手法に適するように、平面方向に見るとＣ字形の半割継手形状とした連結具５ａが、少なくとも上下に２個設けられた構成とされている。前記の連結具５ａを相隣り合う２本の周辺柱２、２へ嵌め付ける手法で取り付け設置して各外周枠面が順次に遮蔽される。
なお、相隣り合う２本の周辺柱２、２の間へ一つずつ外周面材５を設置する関係上、１本の周辺柱２には、隣接する外周面材５、５の連結具５ａが少なくとも上下に４個嵌め付けることになる。そこで隣り合う外周面材５、５同士の連結具５ａの配置は、周辺柱２の上下に若干ずらした互い違いの位置に設けておくことになる。
【００２２】
図１及び図２に示した外周面材５はネット状構造であるが、この限りではない。板構造やシート張り構造、その他ペットによって破損される虞がなく、逃げ出す心配のない構成であれば、その材質、構成の如何を問わない。外周面材５は、ケージの円周方向の全周に亘り外側から取り付ける。外周面材５の連結具５ａが上記したＣ字形の半割継手形状であると、周辺柱２への取り付け作業が容易である上に、一側の縦縁の連結具５ａのみを外すと、他縁の連結具５ａがいわゆるヒンジ継手の機能を奏するから、外周面材５を回転させて外周枠面を開放し、ペットを出入りさせる出入り口の扉としても利用でき至便である。もっとも、同様の機能を期待できるなら、連結具５ａとしてクランプその他任意形式、構造の連結具を適用して実施することができる。
【００２３】
上記外周面材５との関係で、いずれを先の作業工程とするかは使用者の自由であるが、次の工程として、上記した中心柱１と周辺柱２とを放射方向に連結した上下の放射枠４、４’の垂直面間へ、同垂直面を仕切る縦仕切り材６の取り付けを行う。この縦仕切り材６を設置することにより、ペット類の保育室は基本的に一匹ずつ収容する個別の保育室に形成される。ただし、犬や猫がそれぞれの種族で共同生活に慣れている場合には、縦仕切り材６を設置するに及ばない実施例も検討される。
上記の縦仕切り材６を設置する構成としては、例えば図２及び図３に示したとおり、上位の放射枠４は、その下面の軸方向に下向きにコ字形溝断面の溝縁１５を備えている。下位の放射枠４’は、その上面の軸方向に上向きにコ字形溝断面の溝縁１６を備えている。したがって、上下の放射枠４、４’は、同一の放射枠を上下に逆向きに使用して兼用することができる。
一方、縦仕切り材６は、上記したように中心柱１と周辺柱２、及び双方の柱１、２の間を放射状に連結した上下の放射枠４、４’とが形成する垂直な枠面とほぼ同形・同大に形成されている。この縦仕切り材６は、その上下の端縁部を前記上下の溝縁１５、１６内へ嵌めて建て込み設置される（図６を参照）。
上記したように、上位の放射枠４は、中心柱１と周辺柱２へナット２０により締結して強く連結されているので、ひいては縦仕切り材６の設置状態も堅固な状態となる。この縦仕切り材６は、保育室を縦に仕切る用途上、ペット類の体当たりなどに耐える強度、剛性を備えた丈夫な板構造や金属板構造、或いはプラスチック板などにより構成するのが好ましい。
最後に、保育室の上面部へ屋根材７を大きく被せ、面状ファスナー等で止めることにより、図１に示すケージの組立が完成する。
そこで直ちに、上記外周面材５の一側の縦縁の連結具５ａを周辺柱２から外し、他側端縁の連結具５ａをヒンジとして回転させる操作により、外周枠面を開放した外周枠面を出入り口としてペット類を各保育室へ一匹ずつ入れて保育する用途に供することができる。
【実施例２】
【００２４】
避難場所等に集まってきたペット類の数が、上記実施例１で説明したケージの収容能力を超える場合には、次のように２階建て構造に組み立てて対応することができる。
即ち、上記した中心柱１と各周辺柱２とには更に、その中間高さの位置に、ペット類の保育室を上下に仕切る水平な中仕切り板１３の中心側端部及び外周側端部を連結して支持させる中間連結板１４と１２をそれぞれ同じ高さ位置に備えた構成で実施することができる（図２と図４を参照）。
この場合、中心柱１の中間連結板１４は、やはり中心柱１を通すソケット１４ａを中心として描いた円周上へ、上記中仕切り板１３の中心側端部を止め付ける垂直上向きの軸として、単に軸孔を嵌めるだけの止め軸１４ｂが、１本づつの割合で、中仕切り板１３と同数分（保育室と同数）だけ設けられている。この中間連結板１４も、そのソケット１４ａへ中心柱１を通して、中仕切り板１３の取り付け高さ位置に定め、同ソケット１４ａへタッピングネジで止めるなどの手段により固定されている。
他方、周辺柱２の中間連結板１２は、図４に示した通り、周辺柱２を通すソケット１４ａを中心とする内側部位であって、周辺柱２、２が立ち並ぶ周方向の両側位置に、上記中仕切り板１３の外周側端部の一側縁部に設けた軸孔１３ａを嵌める軸として、垂直上向きの止め軸１２ｂが、隣接する中仕切り板１３の２枚分として合計２本設けられている。この中間連結板１２も、そのソケット１２ａへ周辺柱２を通し、その取り付け高さ位置を上記中心柱１の中間連結板１４と同じ高さ位置に定め、ソケット１２ａをタッピングビス２１で止めるなどの手段により固定されている。
【００２５】
以上の構成に基づいて、上記中心柱１の中間連結板１４と、上記周辺柱２の中間連結板１２とへ中仕切り板１３の中心側端部及び外周側端部をそれぞれ上方から載せるように操作して、各端部の軸孔を止め軸４および１２ｂへ嵌めて載せることにより連結し支持させることができ、かくして保育室は上下２階建てに構成することができる。
つまり、本発明によるペット類用ケージは、上記中仕切り板１３を設置して保育室を上下に仕切って２階建ての構成とすることにより、ペット類の収容能力は２倍となり、大きな収容能力を発揮する。もとより、中心柱１の中間連結板１４及び周辺柱２の中間連結板１２の個数を更に増やし、中仕切り板１３の設置階数を増やすことにより、ペットの収容能力は倍々増とすることが可能である。
本実施例の場合、上記中仕切り板１３には、図６に示したように、その放射方向の両側縁部に沿った配置で、上記縦仕切り材６の中間部の両面に接して支持する支持枠１３ａを備えた構成とすることが好ましい。かくすると、ペット類が縦仕切り材６へ体当たりなどする面外荷重に対して大きな補強、補剛効果を発揮させることができ有効的である。
【００２６】
以上に本発明を図示した実施例に基づいて説明したが、勿論、本発明は上記実施例の構成に限定されるものではない。本発明の要旨、及び技術思想を逸脱しない範囲で、当業者が必要に応じて行う設計変更や応用、変形として種々な態様で実施され得ることを、念のため申し添える。
【符号の説明】
【００２７】
１          中心柱
２          周辺柱
３          周辺枠
４、４’    放射枠
５          外周面材
６          縦仕切り材
７          屋根材
８、９      連結板
５ａ        連結具
８ａ、９ａ  ソケット
８ｂ        ネジ軸
９ｂ        止め軸
１０ａ      ソケット
１０ｂ      止め軸
１０ｃ      ネジ軸
１１        連結板
１２        中間連結板
１３        中仕切り板
１４        中間連結板
１５、１６  溝縁
【図１】
0005536606.tif 000002
【図２】
0005536606.tif 000003
【図３】
0005536606.tif 000004
【図４】
0005536606.tif 000005
【図５】
0005536606.tif 000006
【図６】
0005536606.tif 000007